(57)【要約】【課題】  長尺材を安全確実に鉛直状態に吊り上げる吊り金具を提供する。【解決手段】  上側係止板及び下側係止板の各板面に、吊り上げるべき長尺材の横断面外形と略相似形でそれより寸法の大きい孔であって、該長尺材の外周面に係止すべき係止孔をそれぞれ開設し、  上記上側及び下側係止板を、それらの後側端部において直接又はリンクを介して回転自在に連結して、両係止板面間のなす夾角を開閉自在とし、  上記上側係止板の係止孔を上記長尺材外周面に係止した状態において、上記長尺材の横断面における重心を通る左右方向直線の上側係止板上面への延長線上の相対する２点に長尺材吊り上げ用索状を連結した、長尺材吊り金具。【選択図】        図３
2005112545.tif 000002
【特許請求の範囲】
【請求項１】
上側係止板及び下側係止板の各板面に、吊り上げるべき長尺材の横断面外形と略相似形でそれより寸法の大きい孔であって、該長尺材の外周面に係止すべき係止孔をそれぞれ開設し、
上記上側及び下側係止板を、それらの後側端部において直接又はリンクを介して回転自在に連結して、両係止板面間のなす夾角を開閉自在とし、
上記上側係止板の係止孔を上記長尺材外周面に係止した状態において、上記長尺材の横断面における重心を通る左右方向直線の上側係止板上面への延長線上の相対する２点に長尺材吊り上げ用索状を連結した、
長尺材吊り金具。
【請求項２】
請求項１に記載の長尺材吊り金具と、少くとも一端を開口した長尺中空材を横倒し状態から立ち上げるための立ち上げ具とを具備し、
上記立ち上げ具は、上記長尺中空材の横断面内形寸法よりも横断面外形寸法が小さい棒状体であって、その横断面外形寸法及び長さは、上記長尺中空材内に該棒状体の一端部がわ所要長を挿入して他端部を引き上げたとき、上記長尺中空材を、上記吊り金具が長尺中空材外周面に係止できる程度に傾斜させうるものとし、
上記立ち上げ具の他端部に、立ち上げ用索状を連結した、
長尺吊り装置。
【発明の詳細な説明】
【技術分野】
【０００１】
本願発明は、鋼管、鋼管パイル、シートパイル、中空又は中実コンクリートパイルその他種々の長尺材を作業機の定位置に吊り上げるための吊り金具及び吊り装置に関する。
【背景技術】
【０００２】
例えば、下端に掘削ブレードを有するブレードパイルを地中に回転埋設するブレードパイル工法において、バックホー等のアームに昇降自在に支持された回転駆動装置の出力軸に上記ブレードパイルを接続するには、通常、施工現場に横倒しの状態に置いてあるブレードパイルを垂直に吊り上げて回転駆動装置の下に運ぶ作業が必要となる。
【０００３】
そこで、従来、ブレードパイル吊り上げ手段として、クレーン又はバックホーから垂下したワイヤロープでループをつくり、該ループを横倒し状態にあるブレードパイルの上端部分外周面に掛け回し、ついでワイヤロープを巻き上げてブレードパイルを片絞りの状態で吊り上げ、ついで回転駆動装置の下に吊りこんで出力軸との接続を行うのである。
【０００４】
しかし、従来のワイヤロープによる片絞りの吊り上げでは、ブレードパイルが傾斜状態となるため、回転駆動装置の出力軸との接続に手間がかかり、しかもブレードパイルがワイヤロープから外れたり、ワイヤロープを中心に回転する危険があった。
【発明の開示】
【発明が解決しようとする課題】
【０００５】
本願請求項１の発明は、長尺材を安全確実にほぼ鉛直状態に吊り上げることができる吊り金具を提供することを課題とし、
本願請求項２の発明は、上記請求項１の発明の課題に加え、横倒し状態に置かれた長尺材を立ち上げ、ついで上記の鉛直吊り上げへと連続させることができる吊り装置を提供することを課題とする。
【課題を解決するための手段】
【０００６】
上記課題達成のため、本願請求項１の発明は、
上側係止板及び下側係止板の各板面に、吊り上げるべき長尺材の横断面外形と略相似形でそれより寸法の大きい孔であって、該長尺材の外周面に係止すべき係止孔をそれぞれ開設し、
上記上側及び下側係止板を、それらの後側端部において直接又はリンクを介して回転自在に連結して、両係止板面間のなす夾角を開閉自在とし、
上記上側係止板の係止孔を上記長尺材外周面に係止した状態において、上記長尺材の横断面における重心を通る左右方向直線の上側係止板上面への延長線上の相対する２点に長尺材吊り上げ用索状を連結した、
長尺材吊り金具を提案し、
【０００７】
また、本願請求項２の発明は、
請求項１に記載の長尺材吊り金具と、少くとも一端を開口した長尺中空材を横倒し状態から立ち上げるための立ち上げ具とを具備し、
上記立ち上げ具は、上記長尺中空材の横断面内形寸法よりも横断面外形寸法が小さい棒状体であって、その横断面外形寸法及び長さは、上記長尺中空材内に該棒状体の一端部がわ所要長を挿入して他端部を引き上げたとき、上記長尺中空材を、上記吊り金具が長尺中空材外周面に係止できる程度に傾斜させうるものとし、
上記立ち上げ具の他端部に、立ち上げ用索状を連結した、
長尺吊り装置を提案する。
【発明の効果】
【０００８】
本願請求項１の発明の長尺材吊り金具によれば、長尺材を吊り用の加工や締付けを施すことなく確実に把持して吊り上げることができ、しかも吊り上げ用ワイヤロープを引き上げたとき長尺材を鉛直状態に安全に吊り上げることができ、それにより該長尺材を作業機の所定機器に容易に接続することができるのである。  
【０００９】
本願請求項２の発明の長尺材吊り装置によれば、横倒し状態に置かれた長尺中空材を立ち上げ具によって傾斜状態に立ち上げることができ、続いて上記傾斜状態の長尺中空材に吊り金具を係止して上述と同様の確実な吊り上げ及び鉛直状態の安全吊り上げを行うことがでるのである。
【実施例】
【００１０】
便宜上、請求項２の発明の実施例について説明する。図１において、クローラ（図示略）に水平面上で旋回駆動自在かつ上下揺動駆動自在に支持されたアーム（１）の先端に、モータ、減速機を含む回転駆動部（２）を前後左右揺動自在に吊支し、該駆動部（２）の下端から突出する出力軸に、本例では中空ブレードパイルを着脱自在に接続すべきチャック装置（３）を接続して、ブレードパイル回転埋設機（Ａ）を構成し、この回転埋設機（Ａ）について、ブレードパイル吊り金具（Ｂ）が、上記チャック装置（３）の位置に、仮止め用ワイヤロープ（４）により上記駆動装置（２）外側部のフック（５）に吊支され、又ブレードパイル立ち上げ具（Ｃ）が、その上端部に取りつけられたヨリ戻しつき立ち上げ用リングワイヤ（６）により上記チャック装置（３）の下端部に着脱自在に連結してある。
【００１１】
上記吊り金具（Ｂ）は上側係止板（７）と下側係止板（８）からなり、上側係止板（７）は、図２（イ）、（ロ）に示すように、不規則８角形の平板のほぼ中央部に、外径１９０ｍｍ、長さ６ｍの吊支すべき円筒状ブレードパイル（Ｐ）に対し、その横断面外形と相似形で寸法の大きい孔、すなわち内径が２１０ｍｍの円形の係止孔（９）を開設すると共に、板の後側端から継手アーム（１０）を延出してあり、また下側係止板（８）は、同図（ロ）、（ハ）に示すように、前側端を適宜突出させた不規則８角形平板のほぼ中央部に係止板（７）のそれとほぼ同径の円形係止孔（１１）を設け、前側端からヘッドアーム（１２）を、後側端から継手アーム（１３）をそれぞれ延出してあり、この両係止板（７）、（８）の継手アーム（１０）、（１３）を、本例では短いリンク（１４）を介してピン（１５）、（１６）により回転自在に連結し、それにより両係止板（７）、（８）の板面間の夾角（θ）（図３参照）を開閉自在に構成すると共に、両係止板（７）、（８）を上記リンク（１４）の長さ範囲で前方又は後方に相対的に変位できるようにしてある。
【００１２】
上記上側係止板（７）の上面には、係止孔（９）の左右両側部にシャックル（１８）、（１８）を取りつけ、該シャックル（１８）、（１８）に吊り上げ用ワイヤロープ（１７）、（１７）の一端を連結し、ロープ（１７）、（１７）他端は、図１のように上記駆動部（２）の外側部における、駆動部（２）軸心を通る直径方向の相対する２位置に連結してある。
【００１３】
上記のような吊り金具（Ｂ）の上側及び下側係止板（７）、（８）の各係止孔（９）、（１１）を図３のようにパイル（Ｐ）の外周に被嵌し、吊り上げ用ワイヤロープ（１７）、（１７）を上方へ引っ張ると、上側係止板（７）は、その後側端（ピン１５）を下側係止板（８）の重量により下方へ引かれることにより前側端上向きに傾斜し、又下側係止板（８）は、後側端のピン（１６）によって板全体を吊支されているため、前側端下向きに傾斜し、それにより係止孔（９）、（１１）の前、後孔縁部をパイル（Ｐ）外周面に係止する。ここで、補助的に下側係止板（８）の前側端をさらに下方へ引張ると、両係止板（７）、（８）の夾角をさらに開いて係止孔（９）、（１１）の前後孔縁部をパイル（Ｐ）外周面に強く係止させ、それによりパイル（Ｐ）を確実に吊り上げることができるようになる。
【００１４】
上記パイル（Ｐ）の吊り上げにおいて、パイルを鉛直に安全に吊り上げるため、上記吊り上げ用ワイヤロープ（１７）、（１７）のシャックル（１８）、（１８）取りつけ位置が次のように設定される。すなわち長尺材の横断面における重心を通る左右方向直線の延長線上、これを本例についてみれば、図２（イ）に示すようにパイル（Ｐ）の横断面中心―換言すれば係止孔（９）の中心―を通る左右方向直径の延長線（ｄ）上であって、中心から左右に等距離の位置がシャックル（１８）、（１８）取りつけ位置としてある。
【００１５】
上記シャックル（１８）、（１８）の取付位置を上記のようにしたから、ワイヤロープ（１７）、（１７）を引き上げると、該ワイヤロープ（１７）、（１７）がパイル（Ｐ）の重心（軸心）の左右両側にあって、側面からみると、図３に示すようにパイル（Ｐ）の重心方向（Ｇ）と合致して延長するから、パイル（Ｐ）は常に鉛直に吊られることとなる。
【００１６】
（１９）、（１９）は、下側係止板（８）における係止丸孔（１１）の前、後孔縁部にそれぞれ着脱自在にネジ止めした係止補強片である。
【００１７】
次に、上記ブレードパイル立ち上げ具（Ｃ）は、立ち上げるべき中空長尺材の横断面内形寸法よりも横断面外形寸法の小さい棒、すなわち本例では、中空ブレードパイル（Ｐ）の内径よりも外径の小さい比較的短い鋼管からなる立ち上げ棒（２０）からなり、その下端に中空パイル（Ｐ）の内径よりも外径の若干小さいフランジ（２１）を固定してある。
【００１８】
上記立ち上げ具（Ｃ）の外径及び長さは、パイル（Ｐ）内に該立ち上げ具（Ｃ）をフランジ（２１）先端から所要長を挿入して他端を引き上げたとき、上記吊り金具（Ｂ）の上側及び下側係止板（７）、（８）をパイル（Ｐ）外周面に係止できる程度に該パイル（Ｐ）を傾斜させうる寸法であればよい。一例として、パイル（Ｐ）の内径１８５ｍｍ、長さ６ｍに対し、立ち上げ棒（２０）の外径８５ｍｍ、長さ１，２２５ｍ、フランジ（２１）の径１７０ｍｍである。上記立ち上げ棒（２０）は、下端にフランジ（２１）を固定することにより短くすることが可能となった。
【００１９】
上例の作用を作業とともに次に説明する。横倒し状態に置かれた中空ブレードパイル（Ｐ）に対し、アーム（１）の操作により回転駆動部（２）を降下させて立ち上げ具（Ｃ）をほぼ地面に水平に置き、その状態で立ち上げ棒（２０）を横倒しの中空パイル（Ｐ）内に立ち上げ棒（２０）の約中間部まで挿入する（図１の状態）。
【００２０】
次に、アーム（１）の操作により回転駆動部（２）を上昇させて上記立ち上げ具（Ｃ）の上端部を立ち上げ用リングワイヤ（６）により徐々に引き上げ、それに伴ってパイル（Ｐ）を徐々に傾斜させていく。
【００２１】
パイル（Ｐ）が図４（イ）に示す傾斜姿勢に至ったとき、上記立ち上げを一旦停止し、ついで作業員の手作業により上記仮止め用ワイヤロープ（４）をフック（５）から外した後、吊り金具（Ｂ）の上側及び下側係止板（７）、（８）をパイル（Ｐ）上部の外周面上に移動させ、そこで、その上側及び下側係止板（７）、（８）を十分に開いて、その係止孔（９）、（１１）の各前後孔縁部をパイル（Ｐ）外周面に係止させる。
【００２２】
この場合、下側係止板（８）のヘッドアーム（１２）に連結した開き用麻ロープ（２２）を下方へ引張って上側及び下側係止板（７）、（８）の開きを保持しておくのもよい。
【００２３】
次に、アーム（１）の操作により回転駆動部（２）を上昇させ、同図（ロ）に示すように吊り上げ用ワイヤロープ（１７）、（１７）により吊り金具（Ｂ）を引き上げ、パイル（Ｐ）を傾斜状態から徐々に起立させていく。
【００２４】
同図（ハ）に示すようにパイル（Ｐ）を完全に吊り上げたときは、パイル（Ｐ）は鉛直姿勢をとる。そこでアーム（１）の操作によりパイル（Ｐ）の下端を接地させ、その状態で、アーム（１）の操作により回転駆動部（２）を降下させてチャック装置（３）をパイル（Ｐ）の開口上端部に係合し、それによりチャック装置（３）を介してパイル（Ｐ）と上端部を出力軸に接続する。
【００２５】
係止解除ロープ（２３）を引いて係止板（７）、（８）のパイル（Ｐ）に対する係止を解除した状態で係止板（７）、（８）を吊支したまま、立ち上げ具（Ｃ）をパイル（Ｐ）内に吊支した状態で、パイル（Ｐ）を回転させて地中に埋設する。
【００２６】
上例の吊り金具（Ｂ）は、繰返し使用により、その上側及び下側係止板（７）、（８）の各係止丸孔（９）、（１１）における前後孔縁部のいずれかが摩耗した場合、上側及び下側係止板（７）、（８）がリンク（１４）の長さ範囲で前後方向に相対的に変位することにより、摩耗した孔縁部であってもパイル外周面へ係止できるようになる。
【００２７】
上例の吊り金具の他の実施例として、上側及び下側係止板の両後側端部を直接ピンにより回転自在に連結し、他の構造は図２と実質的に同一のものがえられる。本例では、上述のような係止孔の前後孔縁部のいずれかが摩耗した場合、摩耗した孔縁部はパイル外周面に係止できなくなるが、実際上は各孔縁部に補強片を付け替えることにより対処できる。
【００２８】
本願請求項１の発明の長尺材吊り具の他の使用例として、まず長尺材に中実コンクリートパイルを使用し、該中実コンクリートパイルを予め架台上に傾斜状態に支持させ、このコンクリートパイルに吊り金具の上側及び下側係止板を係止して上述と同様に吊り上げる。
【図面の簡単な説明】
【００２９】
【図１】ブレードパイル回転埋設機に吊り装置を取りつけた状態の一部省略側面図である。
【図２】（イ）本発明による吊り金具の拡大平面図である。（ロ）同上側面図である。（ハ）上側係止板を除いた同上平面図である。
【図３】長尺材に吊り金具を係止した状態の拡大断面図である。
【図４】（イ）本発明の吊り装置によるパイル立ち上げ状態の略線図である。（ロ）同上パイル吊り上げ状態の略線図である。（ハ）同上鉛直吊り上げ状態の略線図である。
【符号の説明】
【００３０】
Ｐ  ブレードパイル
Ｂ  吊り金具
Ｃ  立ち上げ具
６  立ち上げ用リングワイヤ
７  上側係止板
８  下側係止板
９、１１  係止孔
１４  リンク
１７  吊り上げ用ワイヤロープ
１８  シャックル
２０  立ち上げ棒
【図１】
2005112545.tif 000003
【図２】
2005112545.tif 000004
【図３】
2005112545.tif 000005
【図４】
2005112545.tif 000006